(57)【要約】【目的】  防水対策のパッキンを具備させる場合に、手間をかけずにパッキンを押さえ込んでユニットを組み立てることができる防犯用検知ユニットを提供する。【構成】  ビームセンサ（６ａ）（６ｂ）（７ａ）（７ｂ）とともに報知表示子（８）が装着された内部基板（４）を間にしてユニットボディ（２）（３）同士が組み合わされてなるユニット本体（１）内に、報知表示子（８）からの光をユニットボディ（２）（３）に設けられた表示窓（２１）（３１）から外部へ出射させる表示カバー（５）を、ユニットボディ（２）（３）同士で挟み込むようにして備えており、この表示カバー（５）のユニットボディ（２）（３）と接触する部分にはパッキン取付用段差部（５５）が設けられており、表示カバー（５）が挟み込まれる際に、パッキン取付用段差部（５５）に取り付けられたパッキン（９）が押し潰されて、表示カバー（５）と表示窓（２１）（３１）間の防水性能が確保される。【選択図】図１
2005235128.tif 000002
【特許請求の範囲】
【請求項１】
ビームセンサとともに報知表示子が装着された内部基板を間にして片側のユニットボディおよびその反対側のユニットボディ同士が組み合わされてなるユニット本体内に、報知表示子からの光をユニットボディに設けられた表示窓から外部へ出射させる表示カバーを、ユニットボディ同士で挟み込むようにして備えており、
この表示カバーのユニットボディと接触する部分には、パッキン取付用段差部が設けられており、
表示カバーがユニットボディ同士で挟み込まれる際に、パッキン取付用段差部に取り付けられたパッキンがユニットボディと接触して押し潰されて、表示カバーと表示窓との間の防水性能が確保されるようになっていることを特徴とする防犯用検知ユニット。
【請求項２】
ユニットボディの内側に、表示カバーおよび表示窓の上下に位置する隔壁構造が設けられていることを特徴とする請求項１記載の防犯用検知ユニット。
【請求項３】
前記隔壁構造が、表示カバーがユニットボディにより挟み込まれる際の表示カバーの挿入ガイド構造としても機能することを特徴とする請求項２記載の防犯用検知ユニット。
【請求項４】
前記隔壁構造が、表示窓から侵入する外光を遮断する外光遮断構造としても機能することを特徴とする請求項２または３記載の防犯用検知ユニット。
【請求項５】
前記隔壁構造が、報知表示子からの光を表示窓に集光する集光構造としても機能することを特徴とする請求項２ないし４のいずれかに記載の防犯用検知ユニット。
【発明の詳細な説明】
【技術分野】
【０００１】
この出願の発明は、外構フェンス等に取り付けて侵入者を検知する赤外防犯装置に有用な、ビームセンサとともに報知表示子を内蔵した防犯用検知ユニットに関するものである。
【背景技術】
【０００２】
従来、ビームセンサとしての送信子および受信子を対向配置させ、それらの間で赤外線の送受を行い、赤外線が侵入者により遮られた際にこれを検知する赤外防犯装置が知られている（たとえば特許文献１参照）。
【０００３】
この赤外防犯装置は、たとえば、住宅等の建物に配設された外構フェンスに取り付け、外構フェンスを侵入者が乗り越えるなどして赤外線を遮った際に報知や威嚇を行うフェンス防犯装置として利用できると考えられる。
【０００４】
このとき、送信子や受信子のビームセンサとともに、報知灯や威嚇灯としての報知表示子をも内蔵した一体型の防犯用検知ユニットを構成し、それを複数、外構フェンス等の防犯スペースの外縁に沿って適宜間隔で対向配設させて、隣接する一方の防犯用検知ユニットの送信部と他方の防犯用検知ユニットの受信部との間で赤外線の送受を行い、検知時に報知表示子から報知光や威嚇光等の光を発するようにした態様も考慮できる。
【特許文献１】実開平６−６７９０８号公報
【発明の開示】
【発明が解決しようとする課題】
【０００５】
ここで、上記一体型の防犯用検知ユニットでは、報知表示子からの光を外部に出射させるための表示窓を設けるとともに、この表示窓には光を透過させる透明や乳白色などの材料を用いる必要があるため、通常透光性のない剛性材料で構成されるユニット本体とは別部材のものを組み込ませねばならない。このため、ユニット本体内に雨水等が浸入しないよう防水対策を講じる必要がある。
【０００６】
この防水対策としては、ユニット本体と接触する部分にシール剤を塗布する、パッキンを挿入するなどが考えられる。
【０００７】
しかしながら、シール剤を用いる場合では、作業に手間がかかり、シール性能を管理することが困難でもあり、またパッキンを用いる場合では、パッキンを押さえ込むためにビス固定するなどの手間を要し、部品点数が増加する、といった問題がある。
【０００８】
そこで、以上のとおりの事情に鑑み、この出願の発明は、防水対策のパッキンを具備させる場合に、手間をかけずにパッキンを押さえ込んでユニットを組み立てることができる防犯用検知ユニットを提供することを課題としている。
【課題を解決するための手段】
【０００９】
この出願の発明は、上記の課題を解決するものとして、第１には、ビームセンサとともに報知表示子が装着された内部基板を間にして片側のユニットボディおよびその反対側のユニットボディ同士が組み合わされてなるユニット本体内に、報知表示子からの光をユニットボディに設けられた表示窓から外部へ出射させる表示カバーを、ユニットボディ同士で挟み込むようにして備えており、この表示カバーのユニットボディと接触する部分には、パッキン取付用段差部が設けられており、表示カバーがユニットボディ同士で挟み込まれる際に、パッキン取付用段差部に取り付けられたパッキンがユニットボディと接触して押し潰されて、表示カバーと表示窓との間の防水性能が確保されるようになっていることを特徴とする防犯用検知ユニットを提供する。
【００１０】
第２には、ユニットボディの内側に、表示カバーおよび表示窓の上下に位置する隔壁構造が設けられていることを特徴とする前記防犯用検知ユニットを提供する。
【００１１】
第３には、前記隔壁構造が、表示カバーがユニットボディにより挟み込まれる際の表示カバーの挿入ガイド構造としても機能することを特徴とする前記防犯用検知ユニットを提供する。
【００１２】
第４には、前記隔壁構造が、表示窓から侵入する外光を遮断する外光遮断構造としても機能することを特徴とする前記防犯用検知ユニットを提供する。
【００１３】
第５には、前記隔壁構造が、報知表示子からの光を表示窓に集光する集光構造としても機能することを特徴とする前記防犯用検知ユニットを提供する。
【発明の効果】
【００１４】
上記第１の防犯用検知ユニットによれば、ユニットボディが左右（前後とも言える）２分割されたユニット本体を、片側のユニットボディおよび反対側のユニットボディ同士を組み合わせて組み立てる際に、上記のとおりの表示カバーをユニットボディ同士で挟み込んでユニット本体内に具備させ、このときさらに、表示カバーに取り付けたパッキンをユニットボディに接触させて押し潰すようにすることで、表示カバーとユニットボディに設けられた表示窓との間の防水性能を確保する。すなわち、ユニットボディ同士を組み合わせるだけで、ユニット本体を組み立てることができるとともに、ユニットボディとは別部材の透明や乳白色などの表示カバーを用いるために必要となったパッキンをも、手間をかけずに押さえ込んでユニット本体内に取り付けることができるのである。
【００１５】
上記第２の防犯用検知ユニットによれば、上記第１の防犯用検知ユニットと同様な効果が得られ、また、上記のとおりの特徴を有する隔壁構造をユニットボディ内に設けることで、ユニットボディにより挟み込まれる際の表示カバーの挿入ガイドや、表示窓から侵入する外光の遮断や、報知表示子からの光の表示窓への集光などの効果を実現できるようになる。
【００１６】
上記第３の防犯用検知ユニットによれば、上記第２の防犯用検知ユニットと同様な効果が得られ、また、隔壁構造を挿入ガイド構造としても機能させることで、ユニットボディにより挟み込まれる際の表示カバーの位置決めを容易にして挿入をガイドし、よってパッキンの押し潰しをより確実ならしめ、組立施工性をさらに向上させることができる。
【００１７】
上記第４の防犯用検知ユニットによれば、上記第２および第３の防犯用検知ユニットと同様な効果が得られ、また、隔壁構造を外光遮断構造としても機能させることで、表示窓から侵入する外光を遮断して、表示窓の視認性、つまり報知表示子からの報知光や威嚇光等の光の視認性を向上させることができる。
【００１８】
上記第５の防犯用検知ユニットによれば、上記第２〜第４の防犯用検知ユニットと同様な効果が得られ、また、隔壁構造を集光構造としても機能させることで、報知表示子からの報知光や威嚇光等の光をより効果的に表示窓に集光させて、当該光の視認性を向上させることができる。
【発明を実施するための最良の形態】
【００１９】
［第１の実施形態］
図１〜図５は、この出願の発明の一実施形態について説明するための図である。
【００２０】
本実施形態は、これら図１〜図５に示したように、防犯用検知ユニットの片側にて上下２段にビームセンサとしての送信子（６ａ）（６ｂ）を設け、その反対側にて上下２段にビームセンサとしての受信子（７ａ）（７ｂ）を設けた、いわゆるダブルビーム方式の送受信子背中合わせ一体構成の場合のものであって、さらに報知表示子（８）をも設けており、ケース状の送信側ユニットボディ（２）および受信側ユニットボディ（３）によりユニット本体（１）が構成され、当該ユニット本体（１）内にて送信側ユニットボディ（２）および受信側ユニットボディ（３）との間に位置して内部基板（４）および表示カバー（５）が内蔵されている。送信側ユニットボディ（２）および受信側ユニットボディ（３）は、送信側カバーおよび受信側カバーとしての役割をも担っている。
【００２１】
これにおいて、まず、送信子（６ａ）（６ｂ）および受信子（７ａ）（７ｂ）は、ユニット本体（１）内にて上下に延びた長板状の一枚の内部基板（４）の表裏面に、それぞれ対応する送信側および受信側の位置ならびに上下２段の位置にて取り付けられている。また、報知表示子（８）は、同じ内部基板（４）の表裏面に、上下２段の送信子（６ａ）（６ｂ）間および上下２段の受信子（７ａ）（７ｂ）間に位置して取り付けられている。これら送信子（６ａ）（６ｂ）、受信子（７ａ）（７ｂ）、報知表示子（８）については、赤外線の発光、赤外線の受光、報知・威嚇発光が可能となる素子であればよく、たとえば赤外ＬＥＤやフォトトランジスタなどを考慮できる。
【００２２】
他方、内部基板（４）の表裏面に取り付けられた報知表示子（８）からの光を外部へ放射させる表示カバー（５）は、中央が開口した枠状（輪状とも言える）のものとなっており、その中央開口に面した対向内壁それぞれに基板固定用リブ（５１）（５２）が設けられている。
【００２３】
これら内部基板（４）および表示カバー（５）は、次のように一体化される。
【００２４】
まず、内部基板（４）が表示カバー（５）の中央開口部分に通される。このとき、内部基板（４）の対向側端部は、表示カバー（５）の対向内壁にある基板固定用リブ（５１）（５２）内に挿入されて保持されることとなる。また、表示カバー（５）は報知表示子（８）の光を外部へ放射させる必要があるため、それが可能となるような位置、たとえば報知表示子（８）と略平行な位置とされる。このようにして、内部基板（４）および表示カバー（５）は一体に組み立てられる。
【００２５】
そして、この一体とされた内部基板（４）および表示カバー（５）は、次のように送信側ユニットボディ（２）および受信側ユニットボディ（３）間に位置してユニット本体（１）内に取り付けられる。
【００２６】
まず、内部基板（４）および表示カバー（５）は、その両側から送信側ユニットボディ（２）および受信側ユニットボディ（３）により挟持されるようにユニット本体（１）内に収められる。このとき、送信側ユニットボディ（２）および受信側ユニットボディ（３）には、適宜位置に一対の表示窓（２１）（３１）が設けられ、表示カバー（５）には、適宜位置に一対の位置決めリブ（５３）（５４）が設けられており、それら位置決めリブ（５３）（５４）がそれぞれ対応する表示窓（２１）（３１）に嵌め込まれる。また、送信側ユニットボディ（２）および受信側ユニットボディ（３）には、内壁面にて表示窓（２１）（３１）の上下位置に一対の挿入ガイド板（２２）（３２）も設けられており、表示カバー（５）は、これら挿入ガイド板（２２）（３２）に挿入されて、これにより位置決めリブ（５３）（５４）の表示窓（２１）（３１）への嵌め込みも簡単に行われることとなる。次に、内部基板（４）には基板固定用穴（４１）、送信側ユニットボディ（２）には基板固定用ボス（２３）、受信側ユニットボディ（３）には基板押付用ボス（３３）が設けられており、固定ビス（図示なし）を受信側ユニットボディ（３）の外側から基板押付用ボス（３３）内のビス挿通口を通して、内部基板（４）の基板固定用穴（４１）をさらに通し、送信側ユニットボディ（２）の基板固定用ボス（２３）内のビス穴にねじ込むことで、内部基板（４）を送信側ユニットボディ（２）および受信側ユニットボディ（３）とネジ固定させる。このとき、基板押付用ボス（３３）が基板固定用ボス（２３）に対して内部基板（４）を押し付けることにもなり、よりしっかりとした取付固定が実現される。
【００２７】
以上のとおりに組み立てられた防犯用検知ユニットにおいては、図２に例示したように、表示カバー（５）における送信側ユニットボディ（２）および受信側ユニットボディ（３）と接触する部分に、パッキン取付用段差部（５５）が設けられている。図２では、表示カバー（５）の全外周面に、上下一対のパッキン取付用段差部（５５）が設けられており、これらにパッキン（９）が取り付けられる。
【００２８】
たとえば、パッキン（９）については、止水性能を有するゴム系等の材料により構成された、ライン状もしくはリング状のものを考慮でき、ライン状のパッキン（９）を使用する場合は、粘着剤を用いて全周に貼り付け、リング状のパッキン（９）を使用する場合（図２参照）は、パッキン取付用段差部（５５）の外径よりも若干小さい寸法とし、弾性を利用して装着したりする。なお、貼り付けの場合、貼り始めのパッキン接合部は防水性に影響のない位置とする。
【００２９】
このようなパッキン（９）をパッキン取付用段差部（５５）に取り付けた状態の表示カバー（５）を、上記のとおりに内部基板（４）と一体化させ、さらに送信側ユニットボディ（２）および受信側ユニットボディ（３）により挟み込んでユニット本体（１）内に収めると、位置決めリブ（５３）（５４）が表示窓（２１）（３１）に嵌め込まれた際に、パッキン(９)が送信側ユニットボディ（２）および受信側ユニットボディ（３）の内壁面と接触して、押し潰される。上記のとおりにビス固定を行うと、内壁とパッキン取付用段差部（５５）との間でさらに押し潰される。このとき、パッキン（９）は、送信側ユニットボディ（２）および受信側ユニットボディ（３）の内側にて各々の表示窓（２１）（３１）の上下周りに位置することとなり、よって表示カバー（５）と表示窓（２１）（３１）との間の空間を密閉し、表示窓（２１）（３１）からユニット本体(１)内への雨水等の浸入を効果的に防止できるようになる。
【００３０】
以上により、ユニット本体（１）を組み立てるだけで、何等特殊な部品を用いたり施工処理を行ったりすることなく、パッキン（９）を取り付けることができ、防水性能を十分に確保することができる。
【００３１】
［第２の実施形態］
ところで、上記実施形態では、組み立て時に表示カバー（５）を挿入ガイド板（２２）（３２）に挿入させるようにしているが、これら挿入ガイド板（２２）（３２）によれば、ユニット本体（１）内に隔壁構造を構築しているとも言える。
【００３２】
この場合さらに説明すると、挿入ガイド板（２２）（３２）は、送信側ユニットボディ（２）および受信側ユニットボディ（３）の内側に、内壁面と一体のものとして、表示窓（２１）（３１）の上下位置にて突設されている。また表示窓（２１）（３１）には表示カバー（５）の位置決めリブ（５３）（５４）が嵌め込まれるため、挿入ガイド板（２２）（３２）は、位置決めリブ（５３）（５４）つまり表示カバー（５）の上下に位置することにもなる。
【００３３】
この挿入ガイド板（２２）（３２）による隔壁構造によれば、表示窓（２１）（３１）から侵入する外光を遮断できるとともに、報知表示子（８）からの光が内部で拡散するのを防止して表示窓（２１）（３１）に集光させ、外部への光量を増加でき、よって表示窓（２１）（３１）の視認性を向上できるようになる。
【００３４】
表示窓（２１）（３１）の視認性を向上させるには、報知表示子（８）の周辺領域に太陽光等の外光を侵入させないことが重要である。これは、外光により光が掻き消されてしまうためである。そこで、隔壁による外光遮断構造を設けることで、外光を遮断するのである。また、同じ隔壁により、報知表示子（８）から照射する光が拡散して逃げるのを防止し、表示窓（２１）（３１）への集光効果を高める。なお、隔壁としての挿入ガイド板（２２）（３２）の光反射面には光沢を付与し、さらに集光効果を高めるようにしてもよい。
【００３５】
したがって、隔壁構造は、挿入ガイド構造とともに、外光遮断構造および集光構造としても機能し、挿入ガイド構造としての機能により、パッキン（９）の押し潰しをより確実ならしめ、組立施工性をさらに向上させ、外光遮断構造および集光構造としての機能により、表示窓（２１）（３１）の視認性つまり表示窓（２１）（３１）から放射される報知表示子（８）の光の視認性をさらに向上させられるのである。
【００３６】
なお、上記のとおりの組み立て時に表示窓（２１）（３１）に嵌め込まれた表示カバー（５）の位置決めリブ（５３）（５４）の表面、つまり表示窓（２１）（３１）から外部に露出した面は、送信側ユニットボディ（２）および受信側ユニットボディ（３）の表面よりも奥まった位置となるため、外光避けの屋根構造（段差構造とも呼べる）が表示窓（２１）（３１）に設けられることとなる（図４参照）。この屋根構造の存在により、表示窓（２１）（３１）に影を設けて、太陽光が表示カバー（５）に直接照射されるのを軽減し、報知表示子（８）の光の視認性をさらに一層向上させることもできる。
【００３７】
［第３の実施形態］
以上のとおりの防犯用検知ユニットは、複数用いることで、より具体的には複数を適宜間隔で対向配設させ、隣接する一方の防犯用検知ユニットの送信子（６ａ）（６ｂ）と他方の防犯用検知ユニットの受信子（７ａ）（７ｂ）との間で赤外線の送受を行い、その際に赤外線が侵入者によって遮られたことを検知するように構築することで、優れた赤外防犯装置を実現できる。このとき、外構フェンス等の支柱に防犯用検知ユニットを取り付けて適宜間隔で対向配設させることで、フェンス防犯装置とすることももちろん考慮できる。
【００３８】
この出願の発明は以上の実施形態に限定されるものではなく、細部については様々な態様が可能であることは言うまでもない。たとえば、上記各実施形態では送信子（６ａ）（６ｂ）および受信子（７ａ）（７ｂ）それぞれを上下２段設けたダブルビーム方式のものとしているが、上下３段以上のマルチビーム方式の場合にも適用できる。また、送信子（６ａ）（６ｂ）および受信子（７ａ）（７ｂ）を背中合わせ配置としているが、片側のみに送信子および受信子を上下に並べた配置とした場合にも適用できる。またさらに、送信子のみ、受信子のみを内蔵したユニットとしてもよい。
【図面の簡単な説明】
【００３９】
【図１】この出願の発明の一実施形態を示した分解斜視図である。
【図２】パッキンの表示カバーへの取り付けについて説明するための斜視図である。
【図３】内部基板と一体化された表示カバーの受信側ボディとの組み立てについて説明するための斜視図である。
【図４】組み立て後の表示カバーおよび表示窓について説明するための斜視図である。
【図５】送信側ボディおよび受信側ボディならびに内部基板を示した斜視図である。
【符号の説明】
【００４０】
１  ユニット本体
２  送信側ユニットボディ
２１  表示窓
２２  挿入ガイド板
２３  基板固定用ボス
３  受信側ユニットボディ
３１  表示窓
３２  挿入ガイド板
３３  基板押付用ボス
４  内部基板
４１  基板固定用穴
５  表示カバー
５１，５２  基板固定用リブ
５３，５４  位置決めリブ
５５  パッキン取付用段差部
６ａ，６ｂ  送信子
７ａ，７ｂ  受信子
８  報知表示子
９  パッキン
【図１】
2005235128.tif 000003
【図２】
2005235128.tif 000004
【図３】
2005235128.tif 000005
【図４】
2005235128.tif 000006
【図５】
2005235128.tif 000007